(57)【要約】【課題】主照射部の外周を発光させる新規の灯具を提供する。【解決手段】少なくとも前後の二点で光輝することの可能な光源と、前記光源が前記前の点で光輝する時に機能する第一の反射面と、前記光源が前記後の点で光輝する時に機能する、前記第一の反射面を後方から包囲するよう配置された第二の反射面を備えたことを特徴とする車両用灯具とすることで、主たる反射面を包囲するような発光部を備えた新規の外観を備えた灯具を提供する【選択図】図１
2008235125.tif 000002
【特許請求の範囲】
【請求項１】
少なくとも前後の二点で光輝することの可能な光源と、
前記光源が前記前の点で光輝する時に機能する第一の反射面と、
前記光源が前記後の点で光輝する時に機能する、前記第一の反射面を後方から包囲するよう配置された第二の反射面を備え
たことを特徴とする車両用灯具。
【請求項２】
前記光源の、灯体照射方向に遮光部を備えたことを特徴とする請求項１に記載の車両用灯具。
【請求項３】
前記光源が、少なくとも前後二点に停止位置を備え、前記２点に沿った軸上を前後自在な移動機構を備えた単一の光源であることを特徴とする請求項２に記載の車両用灯具。
【請求項４】
前記第二の反射面の、光源の前記軸に沿った区画が、前記光源の前後動と同期して移動を行うことを特徴とする
請求項３に記載の車両用灯具。
【請求項５】
前記第一の反射面がプロジェクター型投光器の主反射面として構成されていることを特徴とする
請求項４に記載の車両用灯具。
【請求項６】
前記光源が、少なくとも前後二点のそれぞれが発光部である複数の光源の集合体であることを特徴とする請求項２に記載の車両用灯具。
【請求項７】
前記第二の反射面開口部に、拡散カットがなされたレンズを備えたことを特徴とする
請求項１から６のいずれかに記載の車両用灯具。
【発明の詳細な説明】
【技術分野】
【０００１】
本願発明は、車両用前照灯、または信号灯に好適に採用可能な照明機器に関する。
【背景技術】
【０００２】
車両用前照灯において、主たる反射面を包囲するように発光部を備えた外観の灯具の実現方法に関して、特許文献１〜３がそれぞれ構成を開示している。特許文献１〜３に開示される構成は、ライトガイドユニットにより導光を行うという点で共通する特徴を備えている。
【特許文献１】欧州特許出願公開第0900694号明細書
【特許文献２】特開２００３−２９７１０７号公報
【特許文献３】特開２００３−２９７１０８号公報
【発明の開示】
【発明が解決しようとする課題】
【０００３】
ライトガイドユニットによる導光は、形状を自由に設定できる利点がある一方、ライトガイドユニット自体の付加が必要であり部品数が増加する、点灯面積が大きい場合にはライトガイドユニット自身の大型化により重量増加し、また精度維持が困難化する、散乱光光源としては好適に機能するが特定配光制御を行った照明光を得る事が困難である、などの問題点を内包しいてる。
【課題を解決するための手段】
【０００４】
これらの問題に鑑み、発明者は
少なくとも前後の二点で光輝することの可能な光源と、
前記光源が前記前の点に位置する時に機能する第一の反射面と、
前期光源が前期後の点に位置する時に機能する、前記第一の反射面を後方から包囲するよう配置された第二の反射面を備え
たこと特徴とすることにより、
簡易な構造で、主たる反射面を包囲するような発光部を備える照明器具とし、上記問題を解決した。
【発明の効果】
【０００５】
本願発明により、簡易な構造でありながら、主たる反射面を包囲するような発光部を備えた新規の外観を備えた灯具を提供することを可能とした。
【発明を実施するための最良の形態】
【０００６】
図１は、本願発明の第１の実施形態を示す。
【０００７】
記号１は本願発明の灯具を表し、第一反射面２、光源３、第二反射面４、アウターレンズ５、光源移動機構６を含んでいる。
【０００８】
第一反射面は、前進時の光源３位置を略焦点とし、断面形状を略放物線とし、回転軸を光軸と略一致させた回転形状を基本とする。
【０００９】
第二反射面は、灯具ハウジングの内面であり、ハウジング内面を白色、鏡面など、散乱、または乱反射を行うように仕上げたものである。
【００１０】
光源３の光源の限定は無いが、本実施例の場合はフィラメントを２本備え、一方のフィラメントには遮光カップが備えられた、車両用前照灯用の白熱球を採用している。
【００１１】
本実施例においては、光源の２本のフィラメントは、光源前進時に先端近くのすれ違い光用フィラメントを点灯し、光源後退時に走行光用フィラメントを点灯する。
【００１２】
アウターレンズ５は、灯具１の前方を覆う。
【００１３】
光源移動手段６は、適宜の動力源とギア機構、クランク機構などの組み合わせにより実現されるが、本実施例の場合はモータとギア機構の組み合わせを採用している。
【００１４】
なお、図１以外では光源移動手段６の記載は省略している。
【００１５】
図１ａに示す前方位置に光源移動機構６の駆動により光源３が位置したとき、光源から放射された光束は第一反射面２により反射され、第一反射面２に設けられる適宜の配光制御構造により所望の配向特性を備えた光束となり、アウターレンズ５を介して灯具前方に照射される。
【００１６】
図１ｂに示す後方位置に光源移動機構６の駆動により光源３が位置したとき、光源から放射された光束は第二反射面２により拡散され、ランプを包囲する領域が明るく照明される。
【００１７】
光源３の前進時には、光源光は第二反射面に到達せず、光源３の後退時には、光源光は第一反射面に到達しないため、光源３の移動により異なる態様の照射が行われることとなる
【００１８】
図７に、本願発明に用いられる電球の一例を示す。
【００１９】
本実施例で光源３として用いている図７の電球８には、発光部の収容容器９に対して数倍の直径を備えた鍔部１０が存在する。
【００２０】
光源３の前後動を行う場合、この鍔部１０が例えばハウジング４と干渉して動作範囲を制限することのないよう、ハウジング４には鍔部１０が干渉なく通過できるよう開口部を備える必要がある。
【００２１】
しかし、光源３近傍に単純に開口を備えることは、光源より後方に向かう光が開口に進行し、前方への照射に利用できないものとなり、光の利用効率を考えると好ましくない態様であることから、光源の移動軸に沿った第二反射面の一部を、光源と同期して前後動可能な別体の反射面１２として構成することが好ましい。
【００２２】
つまり、第二反射面の光源に隣接する一区画を、光源後退時には第二反射面の一部として機能し、かつ光源の前後動と同期して移動を行う別体の反射面とすることで、光束利用効率の損失を抑制することが可能となる。
【００２３】
本願発明において、光源の移動機構６は図示のようにモータと適宜なギア機構を組み合わせることで実現できるが、移動機構６をこの形態に限定するものではない。
【００２４】
移動機構６の動力源として例えばソレノイドを用いることもモータを用いることも任意に選択でき、また動力源と適宜なギア機構、クランク機構、スライド機構等を組み合わせることも任意に選択できる。
【００２５】
図６は、図１ａ、図１ｂの点灯状態の変化を灯具前方から観察した時の模式図であり、ハウジング内部に、２灯を内蔵した灯具を想定した態様である。
【００２６】
このとき、内蔵された２灯は、何れか一方が本願発明の第一反射面を構成するものであれば足り、他方の灯は反射面対して光源が固定された従来形式の灯であっても、本願発明の第一反射面を構成する第二の灯であっても構わない。
【００２７】
図６ａは図１ａの状況での正面視を示し、光源前進により第一反射面による投光が行われている様子を表し、図６ｂは図１ｂの状況での正面視を示し、光源後退により第二反射面による投光が行われている様子を表す。
【００２８】
このように、光源位置を前後することで、照明状態の切り替えを行う灯具とすることができる。
【００２９】
図２は、本願発明の第２の実施形態を示す図である。
【００３０】
図１では、第一反射面が、反射面だけで配光制御を行う、いわゆるマルチリフレクタタイプの反射面を想定しているものであるのに対して、図２の実施例においては、プロジェクタ型の灯具を採用している。
【００３１】
プロジェクタ型の灯具は一般に前面投影面積が少ないため、第二反射面によって投光される範囲をより広く確保することを可能とし、または灯具の小型化にも貢献する。
【００３２】
図２ａは光源前進時、図２ｂは光源後退時の状態を表す。
【００３３】
光源前進時にはプロジェクタランプとしての照射を行い、光源後退時にはハウジング内部での拡散により、散乱、または乱反射によりプロジェクタランプを包囲する領域が明るく照明される。
【００３４】
以上、第一および第二の実施例では、第二反射面としてハウジング内面を利用し、主に拡散光を発するものとした実施形態を記したが、第二反射面からの照明光は所定の配光制御を行う形態とすることもできる。
【００３５】
図３および図４は、図１および図２の実施形態に対して第二反射面をハウジングではなく、かつ第一反射面とは別の反射面として構成した第３、第４の実施例である。
【００３６】
図３、図４の第二反射面は、図１の第一反射面２の略相似形で、光源後退時の光源位置を略焦点とした反射面として構成されている。
【００３７】
光源後退時に光源より発した光は、第二反射面で反射し、前方へ照射される。
【００３８】
これにより、第一および第二の実施例では拡散光を発していた部位において、配光制御を行う、またはハウジング内部を第二反射面として転用を行った場合よりも高効率で照明を行うことができる。
【００３９】
しかしこの場合、第一反射面裏側の影響など光路が複雑になりやすく、所望の配光制御を行うための設計難易度が高いものとなる。
【００４０】
第４の実施例のように、第一反射面にプロジェクタランプを採用する場合、プロジェクタランプは一般に前面投影面積が少ないため影響が比較的少ないが、第３の実施例のように回転放物系の反射面を第一反射面とする場合、第一反射面の前面投影面積が大きいため、第二反射面からの照射光の大部分を遮ることとなり、配光制御は著しく困難になる。
【００４１】
本実施例においては、光源に、例えばＨＢ２形式などの、フィラメントを２本備え、一方のフィラメント下部に遮光用カップを備えた電球を採用しているが、光源前進時の点灯状態では前記第一反射面の下側領域には光照射がなされないため有効に作用しない。
【００４２】
この場合、図５に示す第５の実施例のように、第一反射面は下側を省略した形状とすることも可能である。
【００４３】
前記第一反射面の下側を省略することにより、第二反射面の前方投影面積が増大し、第二反射面による照射光量を増大したり、配光制御をより確実にすることができる。
【００４４】
この図５の実施例に示す、第一反射面の下側を省略する構成は、図３の実施例に対しても、図１の実施例に対しても有効である。
【００４５】
以上の実施例に示すように、本願発明により、主たる反射面を包囲するような発光部を備えた新規の外観を備えた灯具を提供することを可能とした。
【００４６】
第１、第２の実施例の形態においては、アウターレンズの第二反射面の開口部に対応する部分に拡散カットを施したり着色したレンズを配置すること等が有効である。
【００４７】
本願発明においては、光源後退時に第一反射面および反射面を介さないで前方に照射される光束が遮蔽された構成である方が、２つの点灯状態間の差が強調され好ましいため、光源としてはブラックトップのＨ４、ＨＢ２、ＨＢ１、ＨＢ５、ＨＢ４、Ｈ７等のバルブを選択することが好ましいが、これに限定するものでは無い。
【００４８】
ブラックトップの光源以外を採用する場合、光源と一体に前後動する前方遮蔽体を備えることも有効であり、または光源前後動と同期し適宜なクランク機構により駆動され、光源前進時には開口し、光源後退時には閉口する蓋を採用することも有効である。
【００４９】
前記した遮蔽体を備えることで、光源として放電灯などの採用も可能となる。
【００５０】
光源を複数備える構成を採用する場合は、第二反射面のみを機能させる点灯状態の際に、光源光の漏洩を防ぐ構成とすることが好ましい。
【００５１】
ここで言う光源を複数備える構成とは、光源移動機構６を備えずに、前方および後方の２点において発光を行うことのできる光源のことである。
【００５２】
前記の光源を複数備える構成は、光源移動機構６を備えずとも前方、後方でそれぞれ点灯を行うことができる前後長の長いものであればよく、白熱灯、放電灯、半導体等の種類は問わない。
【００５３】
前記第一反射面を前照灯として利用する場合、前期第一反射面に対して光軸合わせ機構を備える必要がある場合がある。
【００５４】
一般に光軸合わせ機構は、調整を行う部材の端部に沿って配置されることが多く、本願発明の構成では前方から観察され得る構成となることも考えられる。
【００５５】
光軸合わせ機構の前方からの観視を防ぐため、前記第一反射面の周囲に、前記第二反射面からの照射確保するための開口を備え、また例えば前記アウターレンズに略沿ったマスク部材を配置し、光軸調整機構の観視を防ぐことも有効である。
【図面の簡単な説明】
【００５６】
【図１】本発明に係る灯具を示す図である。
【図２】第一反射面にプロジェクタ型灯具を採用した実施例の図である。
【図３】図１の実施例に対して第二反射面に回転放物系反射面を採用した例の図である。
【図４】図２の実施例に対して第二反射面に回転放物系反射面を採用した例の図である。
【図５】図３の実施例に対して第一反射面を変形させた実施例を表す図である。
【図６】本発明の灯具の点灯の態様を表す図である。
【図７】本発明に用いる光源用電球の一例を表す図である。
【符号の説明】
【００５７】
１：灯具
２：第一反射面
３：光源
４：第二反射面
５：アウターレンズ
６：光源移動機構
７：マスク部材
８：電球
９：発光部の収容容器
１０：鍔部
１１：マスク部材
１２：別体の反射面
【図１】
2008235125.tif 000003
【図２】
2008235125.tif 000004
【図３】
2008235125.tif 000005
【図４】
2008235125.tif 000006
【図５】
2008235125.tif 000007
【図６】
2008235125.tif 000008
【図７】
2008235125.tif 000009